(57)【要約】【課題】封水筒内面の清掃作業を楽に行なうこと。【解決手段】上部に開放された取水口４と、取水口４から取り入れられた水を一時的に貯留する封水溜３と、封水溜３内の貯水を外部へ排出する排水口とを有するトラップ本体２と、上記取水口４から上記封水溜３内へ挿入吊設されて該封水溜３内で封水部を形成する封水筒５とを備えた排水トラップ１において、封水筒５の側壁の一部を分離して封水筒５内の空間を開放可能とした。【選択図】図１
2009052350.tif 000002
【特許請求の範囲】
【請求項１】
上部に開放された取水口と、取水口から取り入れられた水を一時的に貯留する封水溜と、封水溜内の貯水を外部へ排出する排水口とを有するトラップ本体と、上記取水口から上記封水溜内へ挿入吊設されて該封水溜内で封水部を形成する封水筒とを備える排水トラップにおいて、上記封水筒の側壁の一部を分離して封水筒内の空間を開放可能としたことを特徴とする排水トラップの封水筒の構造。
【請求項２】
上部に開放された取水口と、取水口から取り入れられた水を一時的に貯留する封水溜と、封水溜内の貯水を外部へ排出する排水口とを有するトラップ本体と、上記取水口から上記封水溜内へ挿入吊設されて該封水溜内で封水部を形成する封水筒とを備える排水トラップにおいて、上記封水筒を複数ブロックに分離可能としたことを特徴とする排水トラップの封水筒の構造。
【請求項３】
上記分離した封水筒を再組立するための係合手段を備えていることを特徴とする請求項１又は２記載の排水トラップの封水筒の構造。
【請求項４】
排水トラップの封水溜内に設置されて封水部を形成するための封水筒であって、側壁の一部を分離して封水筒内の空間を開放可能としたことを特徴とする封水筒。
【請求項５】
排水トラップの封水溜内に設置されて封水部を形成するための封水筒であって、複数ブロックに分離可能としたことを特徴とする封水筒。
【請求項６】
上記分離した封水筒を再組立するための係合手段を備えていることを特徴とする請求項４又は５記載の封水筒。
【発明の詳細な説明】
【技術分野】
【０００１】
本発明は、排水トラップの封水筒の構造及び封水筒に関するものである。
【背景技術】
【０００２】
従来のユニットバスの排水構造は、浴槽からの排水と洗い場部からの排水を合流させてから共通する排水管へ接続する排水構造が一般的であり、通常この合流部に排水トラップが設けられている。排水トラップの内部には、下水管からの臭気やガスが浴室内へ浸入するのを防ぐための封水部を形成するための封水筒が挿入吊設されている（例えば、特許文献１参照）。
【０００３】
従来の封水筒は、常時汚水が貯留されるので、垢や髪の毛などのゴミが付着し易く、垢等が悪臭の原因となる。このため、ヘアキャッチャーと共に取り外して、定期的に清掃する必要がある。
【０００４】
しかしながら、一般に封水筒は細い形状であるため、手に持ったタワシ等が封水筒の内面全体に届きづらくなり、清掃がしづらいという難点があった。
【特許文献１】特開２００７−４６４２６号公報
【発明の開示】
【発明が解決しようとする課題】
【０００５】
本発明は上記の従来の問題点に鑑みて発明したものであって、封水筒内面の清掃作業を楽になえるようにした排水トラップの封水筒の構造及び封水筒を提供することを課題とするものである。
【課題を解決するための手段】
【０００６】
前記課題を解決するために、請求項1記載の発明は、上部に開放された取水口４と、取水口４から取り入れられた水を一時的に貯留する封水溜３と、封水溜３内の貯水を外部へ排出する排水口とを有するトラップ本体２と、上記取水口４から上記封水溜３内へ挿入吊設されて該封水溜３内で封水部を形成する封水筒５とを備える排水トラップにおいて、上記封水筒５の側壁の一部を分離して封水筒５内の空間を開放可能としたことを特徴としている。
【０００７】
また請求項４記載の発明は、排水トラップ１の封水溜３内に設置されて封水部を形成するための封水筒であって、側壁の一部を分離して封水筒内の空間を開放可能としたことを特徴としている。
【０００８】
上記請求項１又は請求項４記載の構成とすることで、清掃時には封水筒５の一部を分離して封水筒５内の空間を開放することにより、手に持ったタワシ等が封水筒５の内面全体に届くようになり、清掃作業が楽にできると共に、封水筒５を一部分離型とすることで再組立が容易となる。
【０００９】
また、請求項２又は請求項５記載の発明は、上記封水筒５を複数ブロック５Ａ，５Ｂに分離可能としたことを特徴としている。
【００１０】
請求項２又は請求項５記載の構成とすることで、清掃時に封水筒５を複数ブロック５Ａ，５Ｂに分離することで清掃作業が楽にできると共に、分離によって封水筒５を小型化できるので、清掃時の取り扱いが容易となる。
【００１１】
また、請求項３又は請求項６記載の発明は、上記分離した封水筒５を再組立するための係合手段７を備えているのが好ましい。
【００１２】
請求項３又は請求項６記載の構成とすることで、係合手段７によって再組立した封水筒５の密閉性を高めることができ、封水筒５による封水機能が確保されることによって、排水トラップ１の排水能力を高く保持する効果が得られる。
【発明の効果】
【００１３】
本発明は、封水筒の側壁の一部を分離可能とし、或いは、封水筒を複数ブロックに分離可能としたことにより、封水筒内面の清掃作業を楽に行なうことができる。
【発明を実施するための最良の形態】
【００１４】
以下、本発明を添付図面に示す実施形態に基いて説明する。
【００１５】
図２は、本実施形態に用いられる排水トラップ１の分解斜視図であり、上部に開放された取水口４と、取水口４から取り入れられた水を一時的に貯留する封水溜３と、封水溜３内の貯水を外部へ排出する排水口とを有するトラップ本体２と、上記取水口４から上記封水溜３内へ挿入吊設されて該封水溜３内で封水部を形成する封水筒５と、上記封水筒５上に載置されるヘアキャッチャー６とを備えている。図２中の８は止水のためのパッキン、９は回動を滑らかにするすべりワッシャである。
【００１６】
上記封水筒５は、トラップ本体２内の取り付け部に載置されるフランジ部５ａと、トラップ本体２内の封水溜３に挿入される筒状部５ｂとからなる。本実施形態の封水筒５は、図１に示すように、側壁の一部をフランジ部５ａから筒状部５ｂに至るまで分離することによって封水筒５内の空間を開放できるようにした一部分離型である。ここでは分離部１０は縦割り状とされ、この分離部１０とは１８０°反対側の部位をヒンジ部１１を介して回動自在に連結してある。ここでは、フランジ部５ａの一部を残してヒンジ部１１とし、ヒンジ部１１以外のフランジ部５ａから筒状部５ｂに至るまでを縦割り状に切り離し、ヒンジ部１１を介して開閉自在に連結された構造となっている。なお、ヒンジ部１１としては図１の例には限定されず、例えば、蝶番等の別部材を用いたものであってもよく、ヒンジ部１１の構造は特に問わない。
【００１７】
しかして、清掃時には図１（ｂ）のように分離部１０を切り離すことによってヒンジ部１１を回動中心として封水筒５が半割れ状となり、これにより封水筒５内の空間が開放されるため、手に持ったタワシ等が封水筒５の内面全体に届くようになり、清掃作業が楽にできる利点がある。清掃後は図１（ａ）のように分離部１０を閉じることで再組立できる。また本例の封水筒５はヒンジ部１１を介して連結された一部分離型であるので、再組立が容易である利点もある。
【００１８】
図３は本発明の他の実施形態であり、封水筒５を縦割り状に完全に分離可能とした場合を示している。他の構成は図１と同様であり、対応する部分には同一符号を付して詳しい説明は省略する。本例では、縦割り状に複数ブロック５Ａ，５Ｂに分割した完全分離型であり、清掃時に図３（ｂ）のように複数ブロック５Ａ，５Ｂに分離することで、図１と同様な作用効果を奏することができると共に、分離によって封水筒５を小型化でき、清掃時の取り扱いが容易となり、清掃作業が一層楽にできる利点もある。
【００１９】
図４は本発明の更に他の実施形態であり、封水筒５を横割り状に完全に分離可能とした場合を示している。他の構成は図１と同様であり、対応する部分には同一符号を付して詳しい説明は省略する。本例では、封水筒５の筒状部５ｂを横割り状に２分割する完全全分離型の封水筒５を示しており、清掃時に図４（ｂ）のように分離することで、分離された各ブロック５Ａ，５Ｂのそれぞれの深さ寸法が概ね半分となり、手に持ったタワシ等で各ブロック５Ａ，５Ｂの内面全体に届くようになり、清掃作業が楽にできると共に、筒状部５ｂを横割り状に分離することで、フランジ部５ａを含めて縦割り状に分離する場合と比較して、再組立が簡単にできる利点もある。
【００２０】
図５〜図９は、再組立した封水筒５に設けられる係合手段７の一例を示している。
【００２１】
図５（ａ）は、封水筒５の外周面に、縦割り状の分離部１０（図１又は図３）と直交方向にベルト７ａを巻き付けたり、或いは、同図（ｂ）は横割り状の分離部１０（図４）に被さるようにしてベルト７ａを巻き付けたりする方式である。
【００２２】
図６は、分離部１０を合いじゃくり７ｂ，７ｃによって係合する方式である。
【００２３】
図７は、分離部１０を磁石７ｄ，７ｅで磁着する方式である。
【００２４】
図８は、凹凸嵌め込み方式で係合するものであり、筒状部５ｂを横割り状に分離した場合において、ブロック５Ａ側に、筒状部５ｂの周方向に延びる凹溝７ｆを形成し、ブロック５Ｂ側に凸部７ｇを突設し、図８（ｂ）のように凸部７ｇを凹溝７ｆの一端から挿入した状態で、図８（ｃ）のようにブロック５Ａ，５Ｂを回し締めすることで、凸部７ｇが凹溝７ｆの奥に進入して係合（図８（ｄ）の状態）するものである。
【００２５】
図９は、トラップ本体２が係合手段７を兼ねる場合を示したものであり、再組立した封水筒５をトラップ本体２内の封水溜３に挿入吊設したときに、トラップ本体２による締め付けで封水筒５の組立状態を保持する場合を示している。
【００２６】
上記図５〜図９のいずれかに示される係合手段７は、再組立した封水筒５の分離部１０における密閉性を高めるためのものであり、これにより封水筒５による封水機能が確保され、排水トラップ１の排水能力を高く保持する効果が得られる。
【図面の簡単な説明】
【００２７】
【図１】（ａ）は本発明の一実施形態に用いる封水筒の斜視図であり、（ｂ）は（ａ）の封水筒の一部を分離した状態を示す斜視図である。
【図２】同上の封水筒が用いられる排水トラップの分解斜視図である。
【図３】（ａ）は他の実施形態に用いる封水筒の斜視図であり、（ｂ）は（ａ）の封水筒を縦割り状に完全分離した状態を示す斜視図である。
【図４】（ａ）は更に他の実施形態に用いる封水筒の斜視図であり、（ｂ）は（ａ）の封水筒の筒状部を横割り状に完全分離した状態を示す斜視図である。
【図５】再組立した封水筒に設けられる係合手段の一例を示し、（ａ）は縦割り状の封水筒に用いるベルトであり、（ｂ）は横割り状の封水筒に用いるベルトである。
【図６】再組立した封水筒に設けられる係合手段の他例を示す斜視図である。
【図７】再組立した封水筒に設けられる係合手段の更に他例として磁石を示し、（ａ）は縦割り状の封水筒に用いる場合、（ｂ）は横割り状の封水筒に用いる場合を示している。
【図８】（ａ）は再組立した封水筒に設けられる係合手段の更に他例に用いる凹凸嵌合方式を示し、（ｂ）〜（ｄ）は凹凸嵌合させる動作説明図である。
【図９】同上のトラップ本体が再組立した封水筒に設けられる係合手段を兼ねる場合の説明図である。
【符号の説明】
【００２８】
１  排水トラップ
２  トラップ本体
３  封水溜
４  取水口
５  封水筒
７  係合手段
【図１】
2009052350.tif 000003
【図２】
2009052350.tif 000004
【図３】
2009052350.tif 000005
【図４】
2009052350.tif 000006
【図５】
2009052350.tif 000007
【図６】
2009052350.tif 000008
【図７】
2009052350.tif 000009
【図８】
2009052350.tif 000010
【図９】
2009052350.tif 000011